(57)【要約】【課題】  既存の設備基盤を大幅に改変することなく、第三者による正確な売上管理を可能にする遊技店舗の売上管理システムを提供する。【解決手段】  第三者機関に設けられた売上管理サーバ７００が遊技店舗の遊技媒体貸出装置１００の売上を管理するシステムであって、遊技媒体貸出装置の売上管理装置３０は、遊技媒体払出手段５０が実際に払い出した遊技球の数量と紙幣識別機１０等に投入された現金の金額との整合性を検証し、正確性を保証した売上データを売上管理サーバへ送信する。正確な売上金額を第三者が記録管理することで、遊技店舗の会計を透明化することができる。【選択図】  図２
2006068370.tif 000002
【特許請求の範囲】
【請求項１】
顧客が現金を投入し、遊技媒体を払い出す遊技媒体貸出装置であって、
投入される現金の真偽を識別しその金額データを含む入金信号を売上管理手段に直接的に送信する現金識別手段と、
前記売上管理手段から転送される前記入金信号が示す金額データに基づく数量の前記遊技媒体を払い出す旨の制御信号を出力する払出制御手段と、
前記払出制御手段からの前記制御信号の受信に応じて前記遊技媒体を払い出す遊技媒体払出手段と、
前記遊技媒体払出手段の払出検出器が出力する検出信号を計数することで遊技媒体の実払出数量データを求める実払出数検出手段と、
前記売上管理手段には、前記入金信号が示す金額データを記憶する金額データ記憶手段と、
前記実払出数量データを記憶する実払出数量データ記憶手段とを備えることを特徴とする遊技媒体貸出装置。
【請求項２】
前記売上管理手段には、前記遊技媒体払出手段の払出検出器が出力する検出信号を計数して得られる遊技媒体の前記実払出数量データと前記金額データとの整合性を検証する売上検証手段とを備えることを特徴とする請求項１に記載の遊技媒体貸出装置。
【請求項３】
遊技店舗内に設けられる遊技媒体貸出装置の売上を該遊技媒体貸出装置と通信可能に接続される第三者の管理装置が管理する遊技店舗の売上管理システムであって、
前記遊技媒体貸出装置には、投入される現金の真偽を識別しその金額データを含む入金信号を売上管理手段に直接的に送信する現金識別手段と、
前記売上管理手段から転送される前記入金信号が示す金額データに基づく数量の前記遊技媒体を払い出す旨の制御信号を出力する払出制御手段と、
前記払出制御手段からの前記制御信号の受信に応じて前記遊技媒体を払い出す遊技媒体払出手段と、
前記遊技媒体払出手段の払出検出器が出力する検出信号を計数することで遊技媒体の実払出数量データを求める実払出数検出手段と、
前記売上管理手段には、前記入金信号が示す金額データを記憶する金額データ記憶手段と、
前記実払出数量データを記憶する実払出数量データ記憶手段と、
前記実払出数量データと前記入金信号の金額データとの整合性を検証する売上検証手段と、
前記金額データを集計して求めた売上データとともに、前記実払出数量データ又は前記売上検証手段による検証結果の少なくとも何れか一方を前記管理装置へ送信する売上データ送信手段とを備えることを特徴とする遊技店舗の売上管理システム。
【発明の詳細な説明】
【技術分野】
【０００１】
本発明は、例えばパチンコ機やスロットマシン等の遊技機が設置される遊技店舗において、これらの遊技に使用する遊技球、若しくはメダル等の売上を正確に管理し、売上改ざん等の不正な会計操作を防止する遊技媒体貸出装置、及びその売上管理システムに関する。
【背景技術】
【０００２】
従来、パチンコ機やスロットマシン等により遊技を提供する遊技店舗においては、遊技球またはメダルを顧客に貸し出す遊技媒体貸出装置が設けられ、各遊技媒体貸出装置の売上を集計することで店舗内の営業実績を計上していた。しかし、この方法では、店舗事業者の恣意的な操作により、または店舗従業員の悪質な搾取によって不正に売上データの改ざん等が行われる可能性があり、店舗における会計上の透明性が欠けていた。
【０００３】
このような背景を受け、近年、プリペイドカードを使った決済システムを技術的基盤に、第三者（カード販売・管理業者）が各遊技店舗の売上の捕捉を行う仕組みが提案され、広く導入されるに至った（例えば特許文献１及び２参照）。すなわち、この仕組みによれば、カード販売・管理業者がプリペイドカードを遊技店舗で販売することで、その売上金額が当該業者に捕捉され、遊技店舗側からは顧客に貸し出した実際の遊技媒体の数量に基づく金額を当該カード販売・管理会社に請求することで両者間の取引が決済される。これにより、第三者が介在した客観的で透明性を有する遊技店舗の会計が行われるようになる。
【０００４】
【特許文献１】特開２００１−２３２００８号公報
【特許文献２】特開２０００−２０２１４４号公報
【発明の開示】
【発明が解決しようとする課題】
【０００５】
ところで、かかる従来のプリペイドカードを利用した決済システムにおいては、一般的に磁気記録方式のカード媒体が採用されている。しかし、この記録方式では、読み出されたデータの解析はできなくても、単に別の磁気カードにデータそのものをコピーし書き込むことで金額データが不正に改ざんされる場合がある。かかるカードの偽造が行われると、正確な売上計上が阻害されるばかりでなく、遊技店舗及びカード販売・管理業者に甚大な金銭的被害が発生するおそれがあった。
【０００６】
また、磁気カードの代わりにデータの読み出し及び書き込みに対して能動的な防護対策が施されているＩＣカードをプリペイドカードとして採用することで、カード偽造等の不正に対し、システムをより強いものにすることが考えられる。しかし、ＩＣカードそのものが磁気カードに比較してかなり高価であること、ＩＣカードに対応する機器等の基盤整備に多額の投資を要する等の理由から、遊技店舗とカード販売・管理会社との間の金銭的リスクを回避するものとしては、現状において割に合うものではなかった。
【０００７】
本発明は、こうした従来の問題に鑑みてなされたものであり、既存の設備基盤を大幅に改変することなく、正確な売上の管理を行えるようにした遊技媒体貸出装置、及び正確な売上を第三者が記録管理することで遊技店舗の会計を透明化する等の売上管理システムを提供することを目的としている。
【課題を解決するための手段】
【０００８】
上述の課題を解決するため、請求項１に記載の発明は、顧客が現金を投入し、遊技媒体を払い出す遊技媒体貸出装置であって、投入される現金の真偽を識別しその金額データを含む入金信号を売上管理手段に直接的に送信する現金識別手段と、前記売上管理手段から転送される前記入金信号が示す金額データに基づく数量の前記遊技媒体を払い出す旨の制御信号を出力する払出制御手段と、前記払出制御手段からの前記制御信号の受信に応じて前記遊技媒体を払い出す遊技媒体払出手段と、前記遊技媒体払出手段の払出検出器が出力する検出信号を計数することで遊技媒体の実払出数量データを求める実払出数検出手段と、前記売上管理手段には、前記入金信号が示す金額データを記憶する金額データ記憶手段と、前記実払出数量データを記憶する実払出数量データ記憶手段とを備えることを特徴とする。
【０００９】
請求項２に記載の発明は、請求項１に記載の遊技媒体貸出装置であって、前記売上管理手段には、前記遊技媒体払出手段の払出検出器が出力する検出信号を計数して得られる遊技媒体の前記実払出数量データと前記金額データとの整合性を検証する売上検証手段とを備えることを特徴とする。
【００１０】
請求項３に記載の発明は、遊技店舗内に設けられる遊技媒体貸出装置の売上を該遊技媒体貸出装置と通信可能に接続される第三者の管理装置が管理する遊技店舗の売上管理システムであって、前記遊技媒体貸出装置には、投入される現金の真偽を識別しその金額データを含む入金信号を売上管理手段に直接的に送信する現金識別手段と、前記売上管理手段から転送される前記入金信号が示す金額データに基づく数量の前記遊技媒体を払い出す旨の制御信号を出力する払出制御手段と、前記払出制御手段からの前記制御信号の受信に応じて前記遊技媒体を払い出す遊技媒体払出手段と、前記遊技媒体払出手段の払出検出器が出力する検出信号を計数することで遊技媒体の実払出数量データを求める実払出数検出手段と、前記売上管理手段には、前記入金信号が示す金額データを記憶する金額データ記憶手段と、前記実払出数量データを記憶する実払出数量データ記憶手段と、前記実払出数量データと前記入金信号の金額データとの整合性を検証する売上検証手段と、前記金額データを集計して求めた売上データとともに、前記実払出数量データ又は前記売上検証手段による検証結果の少なくとも何れか一方を前記管理装置へ送信する売上データ送信手段とを備えることを特徴とする。
【００１１】
請求項１に記載の遊技媒体貸出装置によれば、売上管理手段には現金識別手段に投入された現金の金額データを含む入金信号が直接的に入力され、金額データ記憶手段は当該入金信号が示す金額データを記憶する。また、実払出数検出手段は、遊技媒体払出手段の払出検出器が出力する検出信号を計数することで遊技媒体の実払出数量データを求め、実払出数量データ記憶手段は、当該実払出数量データを記憶する。これにより、遊技媒体貸出装置の売上金額を内部に設けた簡素化された装置で管理することができる。
【００１２】
請求項２に記載の遊技媒体貸出装置によれば、売上検証手段は、現金識別手段に投入された現金の金額データと遊技媒体払出手段が払い出した遊技媒体の実払出数量データとの整合性を検証する。これにより、正確さが保証された売上金額を内部に設けた簡素化された装置で管理することができる。
【００１３】
請求項３に記載の売上管理システムによれば、遊技媒体貸出装置の売上管理手段には現金識別手段に投入された現金の金額データを含む入金信号が直接的に入力され、売上管理手段の金額データ記憶手段は当該入金信号が示す金額データを記憶する。売上検証手段は、現金識別手段に投入された現金の金額データと遊技媒体払出手段が払い出した遊技媒体の実払出数量データとの整合性を検証する。売上データ送信手段は、金額データを集計して求めた売上データとともに、実払出数量データ又は売上検証手段による検証結果の少なくとも何れか一方を第三者の管理装置へ送信する。これにより、正確さが保証された売上金額を第三者が記録管理することができ、遊技店舗における会計を透明化することができる。
【発明の効果】
【００１４】
本発明によれば、遊技店舗における既存の設備基盤を大幅に改変することなく、遊技媒体貸出装置の正確な売上管理をすることができ、また、正確さが保証された売上データを第三者が管理することで、遊技店舗の会計を透明化することができる。
【発明を実施するための最良の形態】
【００１５】
以下、本発明による好適な実施形態として、パチンコ機に使用する遊技球を顧客に貸し出す遊技媒体貸出装置と、その売上を管理する売上管理システムを説明する。まず、図１は、パチンコホール等の遊技店舗に構築される、遊技機を含むネットワークシステムの構成を表す図である。例えばパチンコ機２００のそれぞれには、現金を投入することで所定数の遊技球を顧客に貸し出す台間玉貸機と呼ばれる遊技媒体貸出機１００が隣接して設置されている。これらパチンコ機２００等の遊技機及び遊技媒体貸出機１００は、店舗内の通信ネットワーク４００に回線接続されている。ルータ５００は、店舗内の通信ネットワーク４００と外部の通信ネットワーク６００とを接続するデータ伝送中継手段として機能する。
【００１６】
なお、遊技店舗の管理室等には各遊技機の遊技情報等を集中管理するホールコンピュータが設けられるが、当該ホールコンピュータ及び各遊技機は外部の通信ネットワーク６００からは分離される図示しない別系統の通信ネットワークを介して遊技店舗内において相互通信可能に接続される。
【００１７】
遊技店舗の売上情報を収集し管理する第三者機関であるデータ管理センターには、売上管理サーバ７００が設置され、外部の通信ネットワーク６００を介して各遊技店舗のルータ５００と回線接続される。なお、通信ネットワーク６００は、データ内容の秘匿性保持という点から専用線であることが望ましいが、伝送データに暗号化処理を施す等して安全性を充分に確保することにより、インターネット等の公衆回線網を使用するものであってもよい。
【００１８】
次に、遊技媒体貸出装置１００について説明する。図２は、遊技媒体貸出装置１００の構成を表すブロック図である。
【００１９】
遊技媒体貸出装置１００には、顧客（遊技者）によって紙幣投入口から装置内に投入される紙幣の真偽を判別する紙幣識別機１０と、硬貨投入口から投入される硬貨の真偽を判別する硬貨識別機２０とが設けられている。紙幣識別機１０は、投入された紙幣が真性であると判定した場合、その紙幣の金額情報を含む真券信号を売上管理装置３０へ直接的に出力する。同じく硬貨識別機２０は、投入された硬貨が正規のものと判定した場合、その金額情報を含む正貨信号を売上管理装置３０へ直接的に出力する。
【００２０】
売上管理装置３０はセキュリティーブラックボックス（ＢＢ装置）と呼ばれるもので、他の機器からは独立した制御装置として遊技媒体貸出装置１００に設けられている。この売上管理装置３０は、紙幣識別機１０が出力する真券信号、及び硬貨識別機２０が出力する正貨信号を入金信号として払出制御基板４０に転送する。
【００２１】
また、売上管理装置３０は真券信号及び正貨信号が示す金額情報を累積して金額データを記憶し、例えば１日の営業時間後にその蓄積した金額データ、すなわち売上データを暗号化してＬＡＮ制御回路６０に出力する。ＬＡＮ制御回路６０は、ローカル、及び外部の通信ネットワーク４００、６００を介して第三者機関であるデータ管理センターの売上管理サーバ７００へ当該売上データを伝送する。
【００２２】
遊技媒体払出手段５０は、払出機構内にロータリソレノイドを有し、その回転回数に相当する数の遊技球をパチンコ機２００の受け皿等へ払い出す装置である。払出制御基板４０は、上述の入金信号を受信すると、金額あたりの貸出数である所定の換算レートに当該入金信号が示す金額を乗じて遊技球の払出数を求め、その払出数に相当する回数だけロータリソレノイドを駆動制御する払出制御信号を遊技媒体払出手段５０へ出力する。これにより、顧客が投入した現金の金額に応じた数量の遊技球が貸し出される。なお、図示はしないが遊技媒体払出手段５０の払出通路内には、例えばフォトセンサから形成される払出検出器５１が設けられ、遊技媒体払出手段５０が払い出す遊技球が検出される。払出検出器５１は遊技球を検出するごとに払出検出信号を売上管理装置３０へ直接的に出力する。
【００２３】
更に、払出制御基板４０は売上管理装置３０から転送される払出検出信号（カウント信号）を入力しその信号を計数することで遊技媒体払出手段５０が払い出した遊技球の個数を示す払出結果データを求め、売上管理装置３０へ送信する。
【００２４】
次に、売上管理装置（ＢＢ装置）３０について図３を参照し説明する。なお、図３は、売上管理装置３０の機能ブロック図である。売上管理装置３０は、ＭＰＵ、ＲＯＭ、ＲＡＭ等を含むマイコンをベースに形成されるが、装置本体を含め、回路基板、ＭＰＵ、ＲＯＭ等の部品についても、一旦、所定の位置から取り外された場合には再配置ができない、いわゆるタンパープルーフな装置として形成されている。また、売上管理装置３０は、所定の通信手続（プロトコル）が成立しない限り外部からの制御信号（命令）を一切受け付けず、また既定外のいかなる外部機器との間のデータの送受信を行わないようにすることで、売上管理装置３０におけるデータの不正な操作を防止しその秘匿性を確保している。
【００２５】
図３を参照し、売上管理装置３０は、紙幣識別機１０からの真券信号、及び硬貨識別機２０からの正貨信号の中継基板として機能し、これら入力された入金信号を払出制御基板４０へ転送する。デコード回路３３は、入力された入金信号から金額データを復号化し、金額・払出データ記憶手段３１及び売上検証手段３２へ当該金額データを出力する。金額・払出データ記憶手段３１は、金額データを積算してＲＡＭに記憶する。
【００２６】
また、売上管理装置３０は、遊技媒体払出手段５０の払出検出器５１からの払出検出信号を払出制御基板４０へ転送する。売上管理装置３０に設けられるカウント回路３５は、払出検出器５１からの払出検出信号を計数することで実際に払い出された遊技媒体の数量を求め、これを実払出数量データとして売上検証手段３２へ出力する。また、実払出数量データを金額・払出データ記憶手段３１へ出力し記憶させる。
【００２７】
売上検証手段３２は、上述したようにデコード回路３３から金額データ、カウント回路３５から実払出数量データ、更に払出データ受信手段３６を介して払出制御基板４０が演算した払出結果データを入力する。ここで、払出データ受信手段３６は、売上管理装置３０が紙幣識別機１０または硬貨識別機２０から入金信号を受信したとき、払出制御基板４０へ払出結果データの出力要求信号を送出する。その後、遊技球が払い出されるまでの所定時間だけ払出制御基板４０が出力する払出結果データの受信を認める。
【００２８】
また、売上検証手段３２は上述の金額データと、実払出数量データと、払出結果データとを照査してこれらの整合性を判定する。すなわち、実払出数量データと払出結果データとが一致するか否か、また実払出数量データが示す実際の払出数は、金額データが示す投入金額に所定の換算レート（単位金額あたりの遊技球の貸出数）を乗じた数値と一致するか否か調べる。そして、ＲＡＭ等の所定のアドレスに割り当てられたフラグ（記憶領域）にその検証結果を記憶する。
【００２９】
売上データ送信手段３４は、例えば１日の営業終了時に設定されるタイマ割込の発生に応じて、金額・払出データ記憶手段３１が積算し記憶している当該１営業日分の売上データと実払出数量データとを取り込み、売上検証手段３２が行った売上に係る検証の結果を含めた情報を、データ管理センターの売上管理サーバ７００においてのみ解読可能な公開暗号化鍵を用いて暗号化する。そして、データ管理センターから当該売上管理装置３０のみに予め割り当てられる秘密暗号化鍵を使って電子署名を生成し、上述の検証結果を含む暗号化された売上データに添付して、データ管理センターの売上管理サーバ７００へ通信ネットワーク４００、６００を介して送信する。売上データに電子署名を添付するのは、当該遊技媒体貸出装置１００による真性の売上データであることを証明するとともに、他の偽装者によるなりすましのデータを区別してこれを排除するためである。
【００３０】
また、売上管理装置３０が売上データとともに実払出数量データを売上管理サーバ７００に送信することで、売上管理サーバ７００は、同一の店舗の売上データと実払出数量データとの整合性を検証することが可能となり、遊技店舗における不正の有無を監査することができる。
【００３１】
売上管理サーバ７００は、遊技店舗の各遊技媒体貸出装置１００が送信する正確さが保証された売上データを記録管理する。遊技店舗の売上情報を第三者機関が記録管理することで遊技店舗における会計の透明化が図られる。また、かかる売上データは遊技店舗が税務署等に売上会計を申告する上での証拠のデータとすることもできる。
【００３２】
本実施形態の遊技媒体貸出装置及びこれを含む売上管理システムによれば、紙幣識別機１０、及び硬貨識別機２０に投入された現金の金額情報を含む入金信号が、他の機器からは独立した売上管理装置３０に直接的に入力されるので、金額情報の改ざんを許さない正確な売上が売上管理装置３０によって管理される。
【００３３】
また、売上検証手段３２により正確さが保証された売上データを第三者機関が記録管理することで、遊技店舗における会計を透明化することができる。
【００３４】
また、かかる売上管理システムは、例えば既存の台間玉貸機に売上管理装置（ＢＢ装置）３０を追加設置するだけで機能するため、遊技店舗における設備基盤を大幅に改変することなく導入することが可能である。また、売上管理における運用コストも低く抑えることができる。
【図面の簡単な説明】
【００３５】
【図１】図１は、パチンコホール等の遊技店舗に構築される、実施形態によるネットワークシステムの構成を表す図である。
【図２】図２は、本実施形態による遊技媒体貸出装置の構成を表すブロック図である。
【図３】図３は、本実施形態による遊技媒体貸出装置に設けられる売上管理装置の機能ブロック図である。
【符号の説明】
【００３６】
１０…紙幣識別機、  ２０…硬貨識別機、  ３０…売上管理装置、
３１…金額・払出データ記憶手段、  ３２…売上検証手段、
３３…デコード回路、  ３４…売上データ伝送手段、  ３５…カウント回路、
３６…払出データ受信手段、
４０…払出制御基板、
５０…遊技媒体払出手段、  ５１…払出検出器、
６０…ＬＡＮ制御回路、
１００…遊技媒体貸出装置、  ２００…パチンコ機、
３００…ホールコンピュータ、  ４００…通信ネットワーク、
５００…ルータ、  ６００…外部の通信ネットワーク、
７００…売上管理サーバ
【図１】
2006068370.tif 000003
【図２】
2006068370.tif 000004
【図３】
2006068370.tif 000005